(57)【特許請求の範囲】
【請求項１】
丸編機により靴下を環状に編成する方法であって、穿口開口縁に続いて、適宜コース数の上部リング部を環状に編成した後、上部リング部に続き所定ウエールを中心とし次第にその振り幅を減少する往復編成により、踵部第１の台形の編地を編成し、最小編幅とした後に、逆に漸次編幅を増加し既編の踵部第１の台形の編地のトラバース端部と綴じ合わせつつ踵部第２の台形の編地を編成して、連続した踵部第１第２の２つの台形編地よりなる踵部ポケットとし、編み幅を増加した踵部第２の台形編地の最終コースと前記上部リング部の残余の最終コースとに続いて環状に中心リング部を編成し、次いで前記踵部ポケットの中心ウエールと対称の位置にあるウエールを中心として、次第にその振り幅を減少する往復編成により爪先部第１の台形の編地を編成し、最小編幅とした後に、逆に漸次編幅を増加し既編の爪先部第１の台形の編地のトラバース端部と綴じ合わせつつ爪先部第２の台形編地を編成して、連続した２つの爪先部第１，第２の台形編地よりなる爪先ポケット部とし、編み幅を増加した爪先部第２の台形編地の最終コースと前記中央リング部の残余の最終コースとに続いて環状に下部リング部足底開口縁を適宜コース編成し、足底開口縁はその編成途次全ウエールにおいてＵ字形に折り返して編地を二重として開口縁を補強し、引き続きほつれ防止部を環状に編成してなる上下に開口部を設けた靴下の編成方法。
【請求項２】
環状に編成したほつれ防止部は、その最終コースの編み糸の端末周辺の数コース数ウエールに熱溶着繊維を添え編みすることを特徴とする請求項１記載の上下に開口部を設けた靴下の編成方法。
【発明の詳細な説明】
【０００１】
【発明の属する技術分野】
本発明は靴下、特にスニーカー，パンプス等の胛部が開いた靴を履く際に、その使用を窺知されることのない靴下の編成方法に関する。
【０００２】
【従来の技術】
従来靴下において、足首部のコース数を少なくし出来るだけ高さの低いものとすることは行われているが、そのような短靴下を着用したときにパンプス等の高さのない靴を履くと、靴下の穿口部及びその周辺が靴の甲皮より上部に出て、見た目が良くないと感じられることもあり、また、靴下を履いていないように見せたいと考える者も有る。
【０００３】
また、靴下を履いていないように見せたいシーズンは高温高湿のときでもあり、足部全体を被う靴下で通気性を損ない蒸れを生ずることも普通であった。
【０００４】
【発明が解決しようとする課題】
本発明方法は上記の点に鑑みて、胛部が開らき甲部の高さの低い靴を履いたときに、着用している靴下が外部からは見られることがなく、また、通気性が良く着用時蒸れ感の生じない靴下を得ることを特徴とする。
【０００５】
【課題を解決するための手段】
請求項１記載の発明は、丸編機により靴下を環状に編成する方法であって、穿口開口縁に続いて、適宜コース数の上部リング部を環状に編成した後、上部リング部に続き所定ウエールを中心とし次第にその振り幅を減少する往復編成により、踵部第１の台形の編地を編成し、最小編幅とした後に、逆に漸次編幅を増加し既編の踵部第１の台形の編地のトラバース端部と綴じ合わせつつ踵部第２の台形の編地を編成して、連続した踵部第１第２の２つの台形編地よりなる踵部ポケットとし、編み幅を増加した踵部第２の台形編地の最終コースと前記上部リング部の残余の最終コースとに続いて環状に中心リング部を編成し、次いで前記踵部ポケットの中心ウエールと対称の位置にあるウエールを中心として、次第にその振り幅を減少する往復編成により爪先部第１の台形の編地を編成し、最小編幅とした後に、逆に漸次編幅を増加し既編の爪先部第１の台形の編地のトラバース端部と綴じ合わせつつ爪先部第２の台形編地を編成して、連続した２つの爪先部第１，第２の台形編地よりなる爪先ポケット部とし、編み幅を増加した爪先部第２の台形編地の最終コースと前記中央リング部の残余の最終コースとに続いて環状に下部リング部足底開口縁を適宜コース編成し、足底開口縁はその編成途次全ウエールにおいてＵ字形に折り返して編地を二重として開口縁を補強し、引き続きほつれ防止部を環状に編成することよりなる。
請求項２記載の発明は請求項１記載の方法において、その最終コースの編み糸の端末周辺の数コース数ウエールに熱溶着繊維を添え編みしてなる。
【０００６】
【発明の実施の形態】
本発明方法による靴下１を着用した状態を図１に示す。Ａは胛側から、Ｂは足底側から見た斜視図である。
本発明方法による靴下１は、足の胛側に穿口開口部２を足底側に下部開口部３をそれぞれ有し、下部開口部３の後半部に沿って踵部ポケット４を、下部開口部の前半部に沿って爪先部ポケット５をそれぞれ設けてある。
【０００７】
本発明方法による靴下は、丸編靴下編機で編成されるが、その編成に用いる糸は伸縮性の糸とし、着用前各人の足の形状に添って適宜伸張しフィットするようにしている。編成後の着用時の側面形状は図１のＣに示す如く、上下に上部開口部２と下部開口部３とが位置し、その中間の前後に、爪先部ポケット５と踵部ポケット部４とが位置している。
【０００８】
本発明靴下の編成方法を図２と共に説明する。図２は編成される各部を模式的に示したものである。靴下１は丸編靴下編機により穿口開口部２から編成を開始する。穿口開口部２の周縁の穿口開口縁１１の組織はゴム編よりなり通常の靴下編成と同様にゴム編部から環状に編み始め適宜コース数編成の後、該コースを、編み始めコースにＵ字形に折り返し一体に綴じることにより穿口開口周縁を逆Ｕ字形の二重の編地とする。
【０００９】
穿口開口縁１１に引き続いて環状に上部リング部１２を約１２コース編成する。上部リング部１２の編成コース数により靴下の使用時の足底開口部から穿口部までの高さの大小を適宜に決定することが出来る。コース数が多ければその分靴下の穿口開口部２の周縁から後述する足底開口部３の周縁までの深さが大となり、また穿口開口部２の前端縁から爪先までの長さが大となり、ややもすると、靴下の靴内への隠蔽が損なわれることにもなるのでコース数が多過ぎるのは好ましくない。
【００１０】
所定コース数の上部リング部１２の編成が終了した後に踵部ポケット４の編成に移る。踵部ポケット４の編成は、通常の靴下編成と同様に行ない、ナイアンチックヒール，インサートゴアヒール，インサートダートヒール，スミスヒール，ハーナーヒール等適宜採用することが出来るが、以下ナイアンチックヒールについて、穿口開口部２の後半分の１８０°を範囲として踵部ポケット４を編成する例を図面と共に説明する。即ち、図２Ｃに示すように上部リング部１２の編成が時計針方向に編み進みＡ点で終了したとすると編機は逆転しＡ，Ｂ，ＣとＣまで１８０°編成をする。次にＡ点側の針を適宜減じ編幅を少なく編成し、次に反転しＣ側の針を減じ編幅を少なくし、次第に往復旋回動の角度を少なくし、約６０コース分台形編地１３を編成する。そして今度は逆に１コースごとに編幅を増加して台形編地１４とする。台形編地１４の最終コースは、Ａ〜Ｃ間となる。この編成により台形編地１３と同１４がゴアラインＧで連続してなる踵部ポケット４が出来る。
【００１１】
次に全針によりＡ，Ｄ，Ｃ，Ｂ（図２Ｃ）と環状に中央リング部１６を２２コース編成した後Ｃ点から逆にＡ点まで編成し以後前記踵部ポケット４と同様に台形編地１７，１８よりなる爪先部ポケット５を編成する。爪先部ポケット５は踵部ポケット４と１８０°位相を違えている。踵部ポケット４と爪先部ポケット５とはその向きを逆にし双方のゴアラインＧの始端は図２ＡのＸ−Ｘ縁上にあり、この線は靴下側面の中央に位置するものである。従って、靴下は側面中央が最もコース数が少なくなっており、中央リング部１６のコース数を適宜選択することで着用時の靴下の踵部から爪先部までの長さを決めることが出来る。
【００１２】
爪先部ポケット５の編成が終了し、次に、中央リング部１６の後半の１８０°の範囲と爪先部ポケット５とのそれぞれの最終コースに続いて、下部リング部２０の編成を環状に１２コース行い、次に下部開口部３の縁編に相当する足底開口縁２１を２０コース穿口開口縁１１と同様に袋状に編成し、続いてほつれ止め組織２２を編成する。ほつれ止め組織２２は、特に伸縮性に優れた素材を使用し、ほつれ編み目のランを防止している。また、最終コースを含む数コース，数ウエールに熱融着性繊維糸を添え編みしプレスオフする。熱融着性繊維糸は、編み上げ後セット時に周囲の糸に融着することで編地端末糸のほつれを防止している。
【００１３】
上記の説明中上部リング部１２，中央リング部１６，下部リング部２０，ほつれ止組織２２は平編組織で編成するのが最も能率が良いが、特に平編組織に限定することはなく適宜タック地等として通気性を増大し或いはパイル組織として保温性，耐衝撃性を高めることも可能である。また、各部の編成に際してのコース数を前記しているが、それに限定することはない。
【００１４】
本発明方法による靴下は、爪先部ポケット５で足の爪先部分を被うように、爪先部分を爪先部ポケット５に挿入してから踵部ポケット４で踵を被うことにより、爪先と踵間に図１のＡ，Ｂで示すように係止される。
【００１５】
このときに、編地は十分に伸張され穿口開口部２と足底開口部３とは大きく開き爪先部ポケット５，踵部ポケット４は、上部リング部に、中央リング部１６，下部リング２０によって支持され、その上下両側縁を穿口開口縁１１，足部開口縁第２１で囲われている状態となり、かつ編地は、コース方向に図で左右方向に伸張されているために、各リング部１２，１６，２０は中心線（図２ＡのＸ−Ｘ線）上では極めて細くなっており、これによっても上下開口部２，３の開口の程度は大きくなる。
【００１６】
【発明の効果】
本発明により編成された靴下は下記の各効果を有する。
着用時爪先部ポケットと踵部ポケットにそれぞれ爪先と踵を挿入し伸張状態としているために、前記両ポケットを実質上一体にしている中央リング部がウエール方向の長さを縮少し、特にゴアライン先端附近の中央リング部編地が幅を狭くし上下の開口部を大きく開くことになり足胛部を大きく露出すると共に靴下の開口縁部が靴の甲皮より高く靴外に現われるのを防止しており、靴下を着用しているのが見えない状態とすることが出来る。
足底開口部により着用時蒸れがこもることがなく、蒸れ感を受けることがない。
【００１７】
通常の靴下の如き編み終りのリンキング等による開口部の縫合の工程を全く必要とせず工程の簡素化，省力化が得られる。
着用時の足底開口部から穿口開口部までの高さは中央リング部のコース数を変えることで自由に選択することが出来る。
【図面の簡単な説明】
【図１】本発明により編成された靴下の着用状態を示すもので、Ａは上方より見た斜視図、Ｂは底部より見た斜視図、Ｃは非着用時の側面図。
【図２】本発明靴下の編成過程を示す模式図でＡは側面図、Ｂは展開図、Ｃは平面図である。
【符号の説明】
１  靴下
２  穿口開口部
３  足底開口部
４  踵部ポケット
５  爪先部ポケット
１１  穿口開口縁
１２  上部リング部
１３，１４，１７，１８  台形編地
１６  中央リング部
２０  下部リング部
２１  足底開口縁
２２  ほつれ止組織
【図１】
0003546413.tif 000002
【図２】
0003546413.tif 000003